(57)【要約】【課題】携帯電子機器のバッテリ容量を簡単に補うことができるワイヤレスキーボードを提供する。【解決手段】通常の使用時においては、ワイヤレスキーボード１に内蔵されるバッテリ１０２の電力に基づいて無線通信モジュール１０４が動作することにより、キーマトリクス１０５で生成されたキー入力信号が携帯電子機器３へ無線送信され、これにより、ワイヤレスキーボード１を使用して携帯電子機器３に文字等を入力することができる。他方、携帯電子機器３の充電を行う場合には、ワイヤレスキーボード１と携帯電子機器３をＵＳＢ等の有線通信ケーブルで接続することにより、バッテリ１０２の電力に基づいて発生したＤＣ−ＤＣコンバータ１０７の出力電圧を、有線通信ケーブルの電源ラインを介して携帯電子機器３に供給することができる。【選択図】図１
2013084083.tif 000002
【特許請求の範囲】
【請求項１】
内蔵バッテリで動作するワイヤレスキーボードであって、
前記内蔵バッテリから供給される電力に基づいて所定の電圧を出力する定電圧回路と、
電子機器に電源を供給するための電源ラインを含む所定の通信規格の有線通信ケーブルを接続可能なコネクタと、
を有し、
前記定電圧出力回路が前記コネクタを介して前記有線通信ケーブルの前記電源ラインに前記所定の電圧を出力する、
ワイヤレスキーボード。
【請求項２】
前記内蔵バッテリにおける電荷の充電量を検出する充電量検出部と、
前記充電量検出部における充電量の検出結果を表示する表示部と、
を有する、
請求項１に記載のワイヤレスキーボード。
【請求項３】
前記表示部において前記充電量の検出結果を表示する場合に押下されるボタンを有し、
前記充電量検出部は、前記ボタンが押下される間だけ、若しくは、前記ボタンが押下された後の一定の期間だけ、前記表示部において前記充電量の検出結果を表示する、
請求項２に記載のワイヤレスキーボード。
【請求項４】
前記内蔵バッテリの電力を前記定電圧回路へ供給するラインに設けられたスイッチと、
前記コネクタに前記有線通信ケーブルが接続されたか否か、又は、前記有線通信ケーブルを介して電子機器が接続されたか否かを検出する検出部と、
前記検出部の検出結果に応じて、前記スイッチをオン状態またはオフ状態とする第１制御部と、
を有する、
請求項１乃至３の何れか一項に記載のワイヤレスキーボード。
【請求項５】
前記有線通信ケーブルを介して接続された電子機器と通信を行う有線通信部と、
前記電子機器と無線通信を行う無線通信部と、
前記無線通信を確立するために必要な所定の情報を記憶する記憶部と、
前記所定の情報の送信を求める前記電子機器からの要求信号を前記有線通信部若しくは前記無線通信部において受信すると、前記所定の情報を前記記憶部から読み出して前記有線通信部から前記電子機器へ送信する第２制御部と、
を有する、
請求項１乃至４の何れか一項の記載のワイヤレスキーボード。
【発明の詳細な説明】
【技術分野】
【０００１】
本発明は、バッテリを内蔵したワイヤレスキーボードに関するものである。
【背景技術】
【０００２】
コンピュータに文字等を入力する装置としてはキーボードが最も一般的であるが、近年普及しているスマートフォンやタブレットＰＣなどの携帯電子機器では、ディプレイに設けられたタッチセンサを文字等の入力に使用することが主流になりつつある。
【０００３】
文字等の入力のし易さで比較すると、タッチセンサに比べてキーボードは遥かに効率的であることから、例えばデスク上でスマートフォンやタブレットＰＣを使う場合、別途用意したキーボードを使用するユーザも多い。そのような用途のキーボードとしては、外出先でも簡単に使用可能なバッテリー内蔵型のワイヤレスキーボードが広く普及している。
【発明の概要】
【発明が解決しようとする課題】
【０００４】
ところで、バッテリにより動作する携帯電子機器は、使用性の観点では、一回の充電で動作する時間が長いほど好ましく、携帯性の観点では、より小型・軽量であるほうが好ましい。しかしながら、バッテリの容量を大きくすると、機器のサイズ・重さが大きくなって携帯性が損なわれるため、携帯電子機器に搭載するバッテリの容量には制限がある。従って、このバッテリ容量を外出先などでも簡単に補うことができれば、携帯電子機器の使用性を大幅に高めることができる。
【０００５】
本発明はかかる事情に鑑みてなされたものであり、その目的は、携帯電子機器のバッテリ容量を簡単に補うことができるワイヤレスキーボードを提供することにある。
【課題を解決するための手段】
【０００６】
本発明に係るワイヤレスキーボードは、内蔵バッテリで動作するワイヤレスキーボードであって、前記内蔵バッテリから供給される電力に基づいて所定の電圧を出力する定電圧回路と、電子機器に電源を供給するための電源ラインを含む所定の通信規格の有線通信ケーブルを接続可能なコネクタとを有し、前記定電圧出力回路が前記コネクタを介して前記有線通信ケーブルの前記電源ラインに前記所定の電圧を出力する。
【０００７】
好適に、上記ワイヤレスキーボードは、前記内蔵バッテリにおける電荷の充電量を検出する充電量検出部と、前記充電量検出部における充電量の検出結果を表示する表示部と、を有する。
【０００８】
好適に、上記ワイヤレスキーボードは、前記表示部において前記充電量の検出結果を表示する場合に押下されるボタンを有する。この場合、前記充電量検出部は、前記ボタンが押下される間だけ、若しくは、前記ボタンが押下された後の一定の期間だけ、前記表示部において前記充電量の検出結果を表示させてよい。
【０００９】
好適に、上記ワイヤレスキーボードは、前記内蔵バッテリの電力を前記定電圧回路へ供給するラインに設けられたスイッチと、前記コネクタに前記有線通信ケーブルが接続されたか否か、又は、前記有線通信ケーブルを介して電子機器が接続されたか否かを検出する検出部と、前記検出部の検出結果に応じて、前記スイッチをオン状態またはオフ状態とする第１制御部とを有する。
【００１０】
好適に、上記ワイヤレスキーボードは、前記有線通信ケーブルを介して接続された電子機器と通信を行う有線通信部と、前記電子機器と無線通信を行う無線通信部と、前記無線通信を確立するために必要な所定の情報を記憶する記憶部と、前記所定の情報の送信を求める前記電子機器からの要求信号を前記有線通信部若しくは前記無線通信部において受信すると、前記所定の情報を前記記憶部から読み出して前記有線通信部から前記電子機器へ送信する第２制御部とを有する。
【発明の効果】
【００１１】
本発明によれば、内蔵バッテリの電力に基づいて一定の電圧を発生し、この一定の電圧を有線通信ケーブルの電源ケーブルを介して外部の携帯電子機器に出力することで、携帯電子機器のバッテリを簡単に充電することができる。
【図面の簡単な説明】
【００１２】
【図１】本発明の実施形態に係るワイヤレスキーボードと携帯電子機器の接続例を示す図である。
【図２】本発明の実施形態に係るワイヤレスキーボードの外観の一例を示す正面図である。
【図３】本発明の実施形態に係るワイヤレスキーボードの外観の一例を示す背面図である。
【図４】本発明の実施形態に係るワイヤレスキーボードの外観の一例を示す平面図である。
【図５】本発明の実施形態に係るワイヤレスキーボードの外観の一例を示す底面図である。
【図６】本発明の実施形態に係るワイヤレスキーボードの外観の一例を示す右側面図である。
【図７】本発明の実施形態に係るワイヤレスキーボードのＡ−Ａ'線における断面図である。
【図８】バッテリ充電量の表示部及び情報表示用のランプ類の一例を示す図である。
【図９】本発明の実施形態に係るワイヤレスキーボードの構成の一例を示す図である。
【図１０】本発明の他の実施形態に係るワイヤレスキーボードの構成の一例を示す図である。
【図１１】本発明の更に他の実施形態に係るワイヤレスキーボードの構成の一例を示す図である。
【発明を実施するための形態】
【００１３】
図１は、本発明の実施形態に係るワイヤレスキーボード１とスマートフォン等の携帯電子機器３との接続例を示す図である。
図１に示すワイヤレスキーボード１は、例えばブルートゥース（Bluetooth：登録商標）などの無線通信規格により携帯電子機器３と無線通信する機能を備えており、通常の使用時には、キー操作に応じて生成したキー入力信号を無線により携帯電子機器３へ送信する。
【００１４】
また、本実施形態に係るワイヤレスキーボード１は、ＵＳＢ（Universal Serial Bus）などの有線通信規格に準拠する端子１２を備えており、携帯電子機器３を充電する場合には、ワイヤレスキーボード１に内蔵されるバッテリ１０２の電力に基づいて一定の電圧を発生し、この一定の電圧を有線通信の端子１２からケーブルを介して携帯電子機器３に出力する。携帯電子機器３は、ワイヤレスキーボード１から有線通信ケーブルを介して入力した一定の電圧に基づいて、図示しない充電回路により内蔵のバッテリを充電する。
【００１５】
また図１に示すように、ワイヤレスキーボード１は充電用の端子を備えており、この端子に接続されたＡＣアダプタ２から供給される電力に基づいて、後述するバッテリ充電回路１０１により内蔵のバッテリ１０２を充電する。
【００１６】
図２〜６は、本実施形態に係るワイヤレスキーボード１の外観の一例を示す図である。図２は正面図、図３は背面図、図４は平面図、図５は底面図、図６は右側面図の例をそれぞれ示す。また図７は、図２に示すＡ−Ａ'線におけるワイヤレスキーボード１の断面図を示す。
【００１７】
ワイヤレスキーボード１は、正面方向からみて略矩形の形状を有しており、その正面に複数の操作キー４１を備える。正面方向からみたワイヤレスキーボード１の右上隅には、内蔵バッテリの充電量を表示する表示部３１と、ボタン２１と、各種の情報を表示するランプ類３２が配置される。
表示部３１は、本発明における表示部の一例である。
【００１８】
図８は、図２に示すバッテリ充電量の表示部３１と情報表示用のランプ類３２を拡大して示した図である。
表示部３１は、３つのＬＥＤ等のランプ３３〜３５を有する。後述する充電量検出回路１０８の制御によって、内蔵のバッテリの充電量が最大のときランプ３３〜３５が全て点灯し、充電量が低下するにつれてランプ３５，３４，３３の順に消灯する。
【００１９】
ランプ類３２は、３つのＬＥＤ等のランプ３６〜３８を有する。
ランプ３６は、ＣａｐｓＬｏｃｋ用の操作キー４１が有効状態か無効状態かを示す。
ランプ３７は、ワイヤレスキーボード１と携帯電子機器３とが無線通信を確立するために必要な情報を送受信している場合（例えばブルートゥース（登録商標）通信においてペアリングを行っている場合）に点灯する。また、ランプ３７は、内蔵バッテリの充電量が一定レベルより低下した場合にも点灯する。
ランプ３８は、後述するコネクタ１２に有線通信ケーブルを介して接続された携帯電子機器３を充電している場合に点灯する。
【００２０】
正面方向からみた場合におけるワイヤレスキーボード１の上側の面（図４）には、スマートフォン等の携帯電子機器３に接続されるＵＳＢ等のコネクタ１２が配置される。また、正面方向からみた場合におけるワイヤレスキーボード１の右側の面（図６）には、ＡＣアダプタ２に接続されるＵＳＢ等のコネクタ１１が配置される。背面方向からみた場合におけるワイヤレスキーボード１の左上隅付近（図３）には、ワイヤレスキーボード１と携帯電子機器３とが無線通信を確立するために必要な情報の送受信（ペアリングなど）を行う際に押下するボタン１３が配置される。また、ボタン１３の隣には、内蔵バッテリ１０２から各電子回路への電源供給をオンオフするための主電源スイッチ１４が配置される。
なお、コネクタ１２は、本発明におけるコネクタの一例である。
【００２１】
ワイヤレスキーボード１の内部には、図７の断面図において示すように、正面方向から見て上側と下側にそれぞれ回路基板５１，６１が設けらている。回路基板５１には、上述した表示部２１，ボタン２１、ランプ類３２や、後述するバッテリ回路１０１，バッテリ１０２，レギュレータ回路１０３，パワーコントロール回路１０６，ＤＣ−ＤＣコンバータ１０７、充電量検出回路１０８（図９）などが配置される。回路基板６１には、上述した複数の操作キー４１や、後述するキーマトリクス１０５，無線通信モジュール１０４（図９）などが配置される。
【００２２】
図９は、本実施形態に係るワイヤレスキーボード１の電気的な構成の一例を示す図である。
図９の例において、ワイヤレスキーボード１は、バッテリ充電回路１０１と、バッテリ１０２と、レギュレータ回路１０３と、無線通信モジュール１０４と、キーマトリクス１０５と、パワーコントロール回路１０６と、ＤＣ−ＤＣコンバータ１０７と、充電量検出回路１０８とを有する。
ＤＣ−ＤＣコンバータ１０７は、本発明における定電圧回路の一例である。
充電量検出回路１０８は、本発明における充電量検出部の一例である。
【００２３】
バッテリ充電回路１０１は、ＵＳＢ等のコネクタ１１に接続されるＡＣアダプタ２からの電力に基づいて、バッテリ１０２を所定の電圧まで充電する。
【００２４】
レギュレータ回路１０３は、バッテリ１０２の電圧を所定の電圧まで降圧し、この降圧した電圧を無線通信モジュール１０４に電源電圧として供給する。
【００２５】
キーマトリクス１０５は、複数の操作キー４１がそれぞれ押下されているか否かを示すキー入力信号を生成する。
【００２６】
無線通信モジュール１０４は、キーマトリクス１０５において生成されるキー入力信号を無線信号に変換して携帯電子機器３に送信する。
【００２７】
パワーコントロール回路１０６は、バッテリ１０２の過放電が防止されるように、バッテリ１０２からＤＣ−ＤＣコンバータ１０７へ供給する電力を制御する。
【００２８】
ＤＣ−ＤＣコンバータ１０７は、バッテリ１０２からパワーコントロール回路１０６を介して供給される電力に基づいて所定の電圧を発生し、この電圧をＵＳＢ等のコネクタ１２に含まれる所定の電源供給用端子に出力する。
ワイヤレスキーボード１と携帯電子機器３が有線通信ケーブルによって接続されると、コネクタ１２の電源供給用端子は有線通信ケーブルに含まれる所定の電源ラインを介して、携帯電子機器３の電源入力用端子に接続される。ＤＣ−ＤＣコンバータ１０７は、この電源ラインを通じて携帯電子機器３に充電用の電圧を供給する。
【００２９】
充電量検出回路１０８は、バッテリ１０２における電荷の充電量をバッテリ１０２の電圧等に基づいて検出し、その検出結果に応じてランプ３３〜３５を点灯若しくは消灯する。充電量検出回路１０８は、例えばボタン２１を押下されている間だけ、或いは、ボタン２１を押下された後の一定時間（例えば数秒程度）だけ、充電量の検出結果に応じたランプ３３〜３５を点灯する。
【００３０】
上述したワイヤレスキーボード１によれば、通常の使用時においては、ワイヤレスキーボード１に内蔵されるバッテリ１０２の電力に基づいて無線通信モジュール１０４が動作することにより、キーマトリクス１０５で生成されたキー入力信号が携帯電子機器３へ無線送信され、これにより、ワイヤレスキーボード１を使用して携帯電子機器３に文字等を入力することができる。他方、携帯電子機器３の充電を行う場合には、ワイヤレスキーボード１と携帯電子機器３をＵＳＢ等の有線通信ケーブルで接続することにより、バッテリ１０２の電力に基づいて発生したＤＣ−ＤＣコンバータ１０７の出力電圧を、有線通信ケーブルの電源ラインを介して携帯電子機器３に供給することができる。
このように、携帯電子機器３の内蔵バッテリの不足分をワイヤレスキーボード１のバッテリ１０２によって簡単に補うことができるので、例えば外出時において携帯電子機器３とともにワイヤレスキーボード１を携帯すれば、携帯電子機器３の動作時間を実質的に延長することが可能となり、携帯電子機器３の使用性を大幅に向上できる。
【００３１】
また、上述したワイヤレスキーボード１によれば、ボタン２１を押下されている間だけ、或いは、ボタン２１を押下された後の一定時間（数秒程度）だけ、充電量の検出結果に応じたランプ３３〜３５が点灯するように構成されているため、ランプの点灯によるバッテリ１０２の消費を最小限に抑えることができる。
【００３２】
次に、本発明の他の実施形態について説明する。
【００３３】
図１０は、本発明の他の実施形態に係るワイヤレスキーボード１の構成の一例を示す図である。
図１０に示すワイヤレスキーボード１は、図９に示す構成に加えて、スイッチＳＷ１と、接続検出回路１０９と、制御回路１１０とを有する。
スイッチＳＷ１は、本発明におけるスイッチの一例である。
接続検出回路１０９は、本発明における検出部の一例である。
制御回路１１０は、本発明における第１制御部の一例である。
【００３４】
スイッチＳＷ１は、バッテリ１０２の電力をＤＣ−ＤＣコンバータ１０７へ供給するラインに設けられており、制御回路１１０の制御に応じてオンまたはオフする。
【００３５】
接続検出回路１０９は、コネクタ１２に有線通信ケーブルが接続されたか否か、又は、有線通信ケーブルを介して携帯電子機器３が接続されたか否かを検出する。例えば、接続検出回路１０９は、有線通信ケーブルの信号ラインや電源ラインにおける電流、インピーダンスなどに基づいて、携帯電子機器３の接続の有無を検出する。
【００３６】
制御回路１１０は、接続検出回路１０９の検出結果に応じてスイッチＳＷ１をオン状態又はオフ状態とする。すなわち、制御回路１１０は、コネクタ１２に有線通信ケーブルが接続されていない（或いは有線通信ケーブルを介して携帯電子機器３が接続されていない）場合にスイッチＳＷ１をオフ状態とし、コネクタ１２に有線通信ケーブルが接続されている（或いは有線通信ケーブルを介して携帯電子機器３が接続されている）場合にスイッチＳＷ１をオン状態とする。
【００３７】
図１０に示すワイヤレスキーボード１によれば、コネクタ１２から有線通信ケーブルを介して携帯電子機器３を充電する状態に無い場合、ＤＣ−ＤＣコンバータ１０７へ供給するラインを遮断して、ＤＣ−ＤＣコンバータ１０７の入力における電力損失の発生を防止できるため、バッテリ１０２の消費を微小に抑えることができる。
【００３８】
図１１は、本発明の更に他の実施形態に係るワイヤレスキーボード１の構成の一例を示す図である。
図１１に示すワイヤレスキーボード１は、図９に示す構成に加えて、有線通信モジュール１１１と、制御回路１１２と、メモリ１１３とを有する。
無線通信モジュール１０４は、本発明における無線通信部の一例である。
有線通信モジュール１１１は、本発明における有線通信部の一例である。
メモリ１１３は、本発明における記憶部の一例である。
制御回路１１２は、本発明における第２制御部の一例である。
【００３９】
有線通信モジュール１１１は、コネクタ１２から有線通信ケーブルを介して接続された携帯電子機器３とＵＳＢ等の所定の通信規格により有線の通信を行う。
【００４０】
メモリ１１３は、ワイヤレスキーボード１の無線通信モジュール１０４と携帯電子機器３とが無線通信を確立するために必要な所定の情報（例えばブルートゥース（登録商標）通信においてペアリングを行う通信機器同士が互いにやり取りするパスコードなど）を記憶する。
【００４１】
制御回路１１２は、コネクタ１２が有線通信ケーブルを介して携帯電子機器３と接続されている場合に、メモリ１１３に格納される上述した所定の情報の送信を求める携帯電子機器３からの要求信号が有線通信モジュール１１１又は無線通信モジュール１０４において受信されると、メモリ１１３から上記所定の情報を読み出して、これを有線通信モジュール１１１から携帯電子機器３へ送信する。
【００４２】
図１１に示すワイヤレスキーボード１によれば、ワイヤレスキーボード１と携帯電子機器３との無線通信を確立する場合に、パスコードなどの通信確立に必要な情報が有線通信によって自動的に携帯電子機器３へ送信されるため、携帯電子機器３においてこれらの情報を入力する手間を省くことができる。
【００４３】
以上、本発明の幾つかの実施形態について説明したが、本発明は上述した実施形態に限定されるものではなく、他の種々のバリエーションを含んでいる。
【００４４】
例えば、上述した実施形態では、無線通信の規格の例としてブルートゥース（登録商標）を挙げているが、本発明はこれに限定されず、他の種々の無線通信規格を用いる場合にも適用可能である。
また、上述した実施形態では、有線通信の規格の例としてＵＳＢを挙げているが、本発明はこれに限定されず、他の種々の有線通信規格を用いる場合にも適用可能である。
【符号の説明】
【００４５】
１…ワイヤレスキーボード、２…ＡＣアダプタ、３…携帯電子機器、１１，１２…コネクタ、２１…ボタン、３１…表示部、３２…ランプ類、４１…操作キー、５１，６１…回路基板、３３〜３８…ランプ、１０１…バッテリ充電回路、１０２…バッテリ、１０３…レギュレータ回路、１０４…無線通信モジュール、１０５…キーマトリクス、１０６…パワーコントロール回路、１０７…ＤＣ−ＤＣコンバータ、１０８…充電量検出回路、１０９…接続検出回路、１１０，１１２…制御回路、１１１…有線通信モジュール、１１３…メモリ。
【図１】
2013084083.tif 000003
【図２】
2013084083.tif 000004
【図３】
2013084083.tif 000005
【図４】
2013084083.tif 000006
【図５】
2013084083.tif 000007
【図６】
2013084083.tif 000008
【図７】
2013084083.tif 000009
【図８】
2013084083.tif 000010
【図９】
2013084083.tif 000011
【図１０】
2013084083.tif 000012
【図１１】
2013084083.tif 000013